(57)【要約】【課題】広告を含んだ視聴者用コンテンツのデザインの一覧を提供する。【解決手段】広告と、画像、音、動画、文字、記号等と、を含んで構成される視聴者用コンテンツのデザインの一覧を複数用意し、電力消費者が消費した電力消費量に応じて、用意した視聴者用コンテンツのデザインの一覧の内の一つを提供する。【選択図】図５
2013206038.tif 000002
【特許請求の範囲】
【請求項１】
コンテンツ視聴装置とコンテンツ作成装置とを含んで構成される広告代理システムであって、
前記コンテンツ視聴装置と前記コンテンツ作成装置とは電気通信回線を介して接続され、
前記コンテンツ視聴装置は、
前記コンテンツ作成装置に対してコンテンツ作成情報を送信する通信部１
を有し、
前記コンテンツ作成装置は、
デザイン提供事業者の広告と、画像、音、動画、文字、記号などと、を含んで構成されるデザイン提供事業者毎に異なる視聴者用コンテンツのデザインと、目標電力消費量と、を関係付けて蓄積することができるデザイン記憶装置を備え、
前記コンテンツ視聴装置から送信された前記コンテンツ作成情報を受信する通信部２と、
受信された前記コンテンツ作成情報に基づいて、宅内で消費されている電力の総量である宅内電力消費量を取得する電力消費量特定部と、
取得された前記宅内電力消費量が超える前記目標電力消費量の内、最大の前記目標電力消費量と関係付けて前記デザイン記憶装置に蓄積されている前記デザイン提供事業者毎に異なる視聴者用コンテンツのデザインを取得し、取得された前記デザイン提供事業者毎に異なる視聴者用コンテンツのデザインの一覧を含んだ視聴者用コンテンツを作成する視聴者用コンテンツ作成部と、
を有し、
前記通信部２は、作成された前記視聴者用コンテンツを前記コンテンツ視聴装置に対して送信する機能をさらに有し、
前記通信部１は、前記コンテンツ作成装置から送信された前記視聴者用コンテンツを受信する機能をさらに有する
ことを特徴とする広告代理システム。
【請求項２】
電力消費量取得装置をさらに含んで構成される前記広告代理システムであって、
前記電力消費量取得装置と前記コンテンツ視聴装置とは電気通信回線を介して接続され、
前記コンテンツ視聴装置は、
前記電力消費量取得装置に対して前記宅内電力消費量を要求する宅内電力消費量要求信号を送信する機能をさらに有する前記通信部１
を有し、
前記電力消費量取得装置は、
前記コンテンツ視聴装置から送信された前記宅内電力消費量要求信号を受信する機能と、前記宅内電力消費量要求信号を受信した場合、前記宅内電力消費量を前記コンテンツ視聴装置に対して送信する機能と、を有する通信部３
を有し、
前記通信部１は、前記電力消費量取得装置から送信された前記宅内電力消費量を受信する機能をさらに有する
ことを特徴とする請求項１に記載の広告代理システム。
【請求項３】
電力消費量取得装置をさらに含んで構成される前記広告代理システムであって、
前記電力消費量取得装置と前記コンテンツ作成装置とは電気通信回線を介して接続され、
前記電力消費量取得装置は、
予め定められた周期で、電力消費量取得装置毎に異なる識別情報と、前記宅内電力消費量と、を前記コンテンツ作成装置に対して送信する機能を有する通信部３
を有し、
前記コンテンツ作成装置は、
前記電力消費量取得装置毎に異なる識別情報と、前記宅内電力消費量と、を関係付けて蓄積することができる電力消費量記憶装置を備え、
前記電力消費量取得装置から送信された、前記電力消費量取得装置毎に異なる識別情報と、前記宅内電力消費量とを、受信した場合、受信された、前記電力消費量取得装置毎に異なる識別情報と、前記宅内電力消費量と、を関係付けて前記電力消費量記憶装置に蓄積する機能をさらに有する前記通信部２
を有する
ことを特徴とする請求項１に記載の広告代理システム。
【請求項４】
前記広告代理システムに含まれる前記コンテンツ作成装置であって、
前記コンテンツ作成装置は、
前記宅内電力消費量を含んだ前記視聴者用コンテンツを作成する機能をさらに有する前記視聴者用コンテンツ作成部
を有することを特徴とする請求項１から請求項３までのいずれか１項に記載の広告代理システム。
【請求項５】
前記広告代理システムに含まれる前記コンテンツ作成装置であって、
前記コンテンツ作成装置は、
前記宅内電力消費量に基づいて、前記宅内電力消費量の対価として支払われる電力使用料金である宅内電力使用料金を算出し、算出された前記宅内電力使用料金を含んだ前記視聴者用コンテンツを作成する機能をさらに有する前記視聴者用コンテンツ作成部
を有する
ことを特徴とする請求項１から請求項４までのいずれか１項に記載の広告代理システム。
【請求項６】
前記広告代理システムに含まれる前記コンテンツ作成装置であって、
前記コンテンツ作成装置は、
前記宅内電力消費量を削減するために利用可能なアドバイスを節電アドバイスとし、
前記節電アドバイスを蓄積したアドバイス記憶装置をさらに備え、
前記アドバイス記憶装置に蓄積されている一つ又は複数の前記節電アドバイスを取得し、取得された前記節電アドバイスを含んだ前記視聴者用コンテンツを作成する機能をさらに有する前記視聴者用コンテンツ作成部
を有する
ことを特徴とする請求項１から請求項５までのいずれか１項に記載の広告代理システム。
【請求項７】
前記広告代理システムに含まれる前記コンテンツ作成装置とであって、
前記コンテンツ作成装置は、
前記宅内電力消費量を削減するために利用可能なアドバイスを節電アドバイスとし、
前記節電アドバイスと前記目標電力消費量とを関係付けて蓄積することができるアドバイス記憶装置さらに備え、
前記宅内電力消費量が超える前記目標電力消費量の内、最大の前記目標電力消費量と関係付けて前記アドバイス記憶装置に蓄積されている前記節電アドバイスの内のいずれか一つ又は複数の前記節電アドバイスを含んだ前記視聴者用コンテンツを作成する機能をさらに有する前記視聴者用コンテンツ作成部
を有する
ことを特徴とする請求項１から請求項５までのいずれか１項に記載の広告代理システム。
【請求項８】
前記広告代理システムに含まれる前記コンテンツ視聴装置と前記コンテンツ作成装置とであって、
前記コンテンツ視聴装置は、
前記宅内電力消費量を前記コンテンツ作成情報とし、
前記コンテンツ作成装置に対して前記コンテンツ作成情報を送信する前記通信部１を有し、
前記コンテンツ作成装置は、
前記コンテンツ視聴装置から送信された前記コンテンツ作成情報を受信する前記通信部２を有し、
受信された前記コンテンツ作成情報を前記宅内電力消費量とする
ことを特徴とする請求項１から請求項７までのいずれか１項に記載の広告代理システム。
【請求項９】
前記広告代理システムに含まれる前記コンテンツ視聴装置と前記コンテンツ作成装置とであって、
前記コンテンツ視聴装置は、
前記電力消費量取得装置毎に異なる識別情報を前記コンテンツ作成情報とし、
前記コンテンツ作成装置に対して前記コンテンツ作成情報を送信する前記通信部１
を有し、
前記コンテンツ作成装置は、
前記コンテンツ視聴装置から送信された前記コンテンツ作成情報を受信する前記通信部２
を有し、
受信された前記コンテンツ作成情報を前記電力消費量取得装置毎に異なる識別情報とし、
前記電力消費量取得装置毎に異なる識別情報と関係付けて前記電力消費量記憶装置に蓄積されている前記宅内電力消費量を取得する宅内電力消費量特定部
を有する
ことを特徴とする請求項３から請求項７までのいずれか１項に記載の広告代理システム。
【請求項１０】
前記広告代理システムに含まれる前記コンテンツ視聴装置であって、
前記コンテンツ視聴装置は、
前記視聴者用コンテンツに含まれる前記デザイン提供事業者毎に異なる視聴者用コンテンツのデザインの一覧の内のいずれか一つが選択された場合、選択された前記デザイン提供事業者毎に異なる視聴者用コンテンツのデザインが配置される、前記デザイン提供事業者毎に異なる視聴者用コンテンツのデザインの一覧中の位置を取得し、取得された前記一覧中の位置を前記コンテンツ作成装置に対して送信する機能をさらに有する前記通信部１
を有し、
前記コンテンツ作成装置は、
前記コンテンツ視聴装置から送信された前記一覧中の位置を受信する機能をさらに有する前記通信部２と、
受信された前記一覧中の位置に配置される前記デザイン提供事業者毎に異なる視聴者用コンテンツのデザインに基づいて、前記視聴者用コンテンツを変更する機能をさらに有する前記視聴者用コンテンツ作成部と、
を有する
ことを特徴とする請求項１から請求項９までのいずれか１項に記載の広告代理システム。
【発明の詳細な説明】
【技術分野】
【０００１】
本発明は、広告代理システムに関し、コンテンツ、電力消費量、広告に関する。
【背景技術】
【０００２】
従来、エネルギー供給者は、電力会社およびガス会社等のエネルギー供給事業者に限定されていた。しかし、現在、再生可能エネルギーの普及によってエネルギー供給事業者以外もエネルギーを創造し、供給する立場となってきており、今後も、この傾向は益々加速していくものと考えられる。
【０００３】
一方、再生可能エネルギーは環境の影響を大きく受けるため、安定的にエネルギーを供給することが難しいという課題がある。この課題に対して情報技術を活用して、エネルギー供給事業者から提供されるエネルギー、再生可能エネルギー、蓄積／放出が可能なエネルギー等の全体のエネルギーを管理し、再生可能エネルギーが変動したとしても、全体でエネルギーを平準化することによって安定を図るスマートグリッドが提案された。
【０００４】
また、スマートグリッドは全体のエネルギーの管理が可能であるため、障害の早期検知や予防保守の強化をおこなえることからも注目され、多くの研究、開発および実証実験等がおこなわれるようになってきている。
【０００５】
また、エネルギー消費という観点でも近年、新たな変化があらわれ始めている。
例えば、複数のエネルギーから二酸化炭素排出量および料金が安いエネルギーを選択すること等を自動的におこなう宅内エネルギー管理システム（ＨＥＭＳ：Ｈｏｍｅ  Ｅｎｅｒｇｙ  Ｍａｎａｇｅｍｅｎｔ  Ｓｙｓｔｅｍ）の普及によって、高度なエネルギー利用が可能になると期待される。
【０００６】
上述のエネルギーの管理手法については、先行技術文献として、非特許文献１と特許文献１と特許文献２とが開示されている。これらの内容について以下に簡単に説明する。
【０００７】
はじめに、非特許文献１では、消費電力、動作状態及びセンサ値等の機器情報が、地域情報管理装置が備える記憶装置に蓄積され、サービス提供者は、地域情報管理装置が備える記憶装置に蓄積されている機器情報を利用したサービスを提供する、地域情報管理システムについての概要が開示されている。
【０００８】
地域情報管理システムの一例を図１に示した。図１によれば、地域情報管理システムは、機器（１０１）から機器（１０ｎ）までと、宅内情報管理装置（１１１）から宅内情報管理装置（１１ｎ）までと、地域情報管理装置（１２１）と、サービス提供装置（１３１）からサービス提供装置（１３ｎ）までと、コンテンツ視聴装置（１４１）からコンテンツ視聴装置（１４ｎ）までと、を含んで構成され、機器（１０１）から機器（１０ｎ）までと、宅内情報管理装置（１１１）と、が電気通信回線を介して接続され、宅内情報管理装置（１１１）から宅内情報管理装置（１１ｎ）までと、地域情報管理装置（１２１）と、が電気通信回線を介して接続され、地域情報管理装置（１２１）と、サービス提供装置（１３１）からサービス提供装置（１３ｎ）までと、が電気通信回線を介して接続され、サービス提供装置（１３１）と、コンテンツ視聴装置（１４１）からコンテンツ視聴装置（１４ｎ）までと、が電気通信回線を介して接続されている。ｎは、正の整数である。以下に、図１のシステムの動作例について説明する。
【０００９】
はじめに、機器（１０１）から機器（１０ｎ）までの各々が、各々が保持する機器情報を宅内情報管理装置（１１１）に対して送信する。
【００１０】
次に、宅内情報管理装置（１１１）が、機器（１０１）から機器（１０ｎ）までの各々から送信された機器情報を受信した場合、受信された機器情報を宅内情報管理装置（１１１）が備える記憶装置に蓄積する。
【００１１】
次に、宅内情報管理装置（１１１）から宅内情報管理装置（１１ｎ）までの各々が、各々が備える記憶装置に蓄積されている機器情報を地域情報管理装置（１２１）に対して送信する。
【００１２】
次に、地域情報管理装置（１２１）が、宅内情報管理装置（１１１）から宅内情報管理装置（１１ｎ）までの各々から送信された機器情報を受信し、受信された機器情報を地域情報管理装置（１２１）が備える記憶装置に蓄積する。
【００１３】
最後に、サービス提供装置（１３１）からサービス提供装置（１３ｎ）までの各々が、地域情報管理装置（１２１）が備える記憶措置に蓄積される機器情報を利用して、コンテンツ視聴装置（１４１）からコンテンツ視聴装置（１４ｎ）までの各々に対するコンテンツの作成と、作成されたコンテンツの提供と、をする。
【００１４】
次に、特許文献１では、電力消費量を削減するために利用できるアドバイスと、電力消費量の推移と、電力消費量の推移に基づいたコメントと、を提供する宅内情報管理システムについての概要が開示されている。
【００１５】
宅内情報管理システムの一例を図２に示した。図２によれば、宅内情報管理システムは、負荷装置（２０１）から負荷装置（２０ｎ）までと、分電装置（２１１）と、宅内情報管理装置（２２１）と、コンテンツ視聴装置（２３１）と、を含んで構成され、負荷装置（２０１）から負荷装置（２０ｎ）までと、分電装置（２１１）と、が電力線を介して接続され、分電装置（２１１）と、宅内情報管理装置（２２１）と、が電気通信回線を介して接続され、宅内情報管理装置（２２１）と、コンテンツ視聴装置（２３１）と、が電気通信回線を介して接続されている。
【００１６】
はじめに、分電装置（２０１）は、負荷装置（２０１）から負荷装置（２０ｎ）までで消費される電力の総量である電力消費量を宅内情報管理装置（２１１）に対して送信する。但し、分電装置（２１１）と宅内情報管理装置（２２１）とが、電力線を介して接続されている場合、宅内情報管理装置（２２１）で消費される電力も電力消費量に含まれ、分電装置（２１１）とコンテンツ視聴装置（２３１）とが電力線を介して接続される場合、コンテンツ視聴装置（２３１）で消費される電力も電力消費量に含まれ、分電装置（２１１）で消費される電力も電力消費量に含まれるものとする。
【００１７】
次に、宅内情報管理装置（２２１）は、分電装置（２１１）から送信された電力消費量を受信した場合、受信された電力消費量を宅内情報管理装置（２２１）が備える記憶装置に蓄積する。
【００１８】
最後に、宅内情報管理装置（２２１）は、コンテンツ視聴装置（２３１）に対して電力消費量を削減するために利用できるアドバイスと、電力消費量の推移と、電力消費量の推移に基づいたコメントと、を含んだコンテンツを作成し、作成されたコンテンツをコンテンツ視聴装置（２３１）に対して提供する。ここで、電力消費量の推移に基づいたコメントは、例えば、現在の電力消費量と過去の電力消費量とを比較し、現在の電力消費量が過去の電力消費量より小さい場合、「電力消費量が削減されました。」という内容とし、現在の電力消費量が過去の電力消費量より大きい場合、「電力消費量を削減して下さい。」という内容とする。
【００１９】
最後に、特許文献２では、広告配信にゲーム要素を取り入れた広告代理システムについての概要が開示されている。
【００２０】
特許文献２では、はじめに、広告主によって、広告主に関する情報と、広告主が販売する商品に関する情報と、消費者に対してゲームの難易度を設定するために提示される条件と、などが広告代理装置に対して入力される。
【００２１】
次に、消費者に対して、広告主に関する情報と、広告主が販売する商品に関する情報の一部と、商品を把持するためのクレーンの画像と、を含んで構成されるクレーンゲーム等のゲームコンテンツが提供され、消費者は、提供されたゲームコンテンツを実行する。
【００２２】
次に、ゲームが攻略された場合、実際の商品が消費者に対して配送され、ゲームが攻略されなかった場合、商品は配送されない。
【００２３】
次に、消費者は、広告主から消費者に対してゲームの難易度を設定するために提示された条件に応じ、消費者が条件に応じた量に基づいて、次回に実行されるゲームの難易度が設定される。
【先行技術文献】
【非特許文献】
【００２４】
【非特許文献１】“スマートハウス情報活用基盤に関する検討活動中間報告”、一般財団法人日本情報経済社会推進協会
【特許文献】
【００２５】
【特許文献１】特開２００９−２７８７７６号公報
【特許文献２】特開２００８−１５９１７６号公報
【発明の概要】
【発明が解決しようとする課題】
【００２６】
特許文献１では、宅内情報管理装置から収集された電力消費量に基づいて、電力消費者に対して電力消費量を削減するためのアドバイスを提供し、電力消費者に、提供した電力消費量を削減するためのアドバイスを実施させることによって、電力消費量を削減するシステムが提案されている。
【００２７】
しかし、電力消費量を削減した場合、消費した電力の対価として支払われるべき電力使用料金が削減されるのみで、他に電力消費者にとって利益となるものがない。また、推測される電力使用料金の削減はごくわずかと予測されるため、電力消費者に対して継続的な電力消費量の削減は望めないと考えられる。また、大幅な電力消費量の削減は電力消費者の生活に支障を与えかねない。
【００２８】
特許文献２では、商品需要者が商品及び企業の広告に興味をもたせるため、商品供給者が娯楽を提供する提案がなされている。
【００２９】
しかし、仮に娯楽を導入することによって電力消費者が電力消費量の削減に対する関心を増したとしても、電力消費量を削減したことによる電力消費者の利益として物質的なものを与えることは、供給者にとって不利益なこととなるため、非常に難しいと考えられる。したがって、特許文献１の場合と同様に、電力消費者に対して持続的な電力消費量の削減は望めないと考えられる。
【００３０】
そこで本発明では、非特許文献１に示す環境において、電力消費量の削減はごくわずかであっても電力使用料金の削減以外の利益を与えることによって、電力消費者の生活に支障を与えることなく、電力消費者に対して持続的な電力消費量の削減を実施させることが可能であり、また、電力使用者に対して電力使用料金の削減以外の利益を与える側にも利益がある技術を提案する。
【課題を解決するための手段】
【００３１】
本発明の一観点によれば、コンテンツ視聴装置とコンテンツ作成装置とを含んで構成される広告代理システムであって、前記コンテンツ視聴装置と前記コンテンツ作成装置とは電気通信回線を介して接続され、前記コンテンツ視聴装置は、前記コンテンツ作成装置に対してコンテンツ作成情報を送信する通信部１を有し、前記コンテンツ作成装置は、デザイン提供事業者の広告と、画像、音、動画、文字、記号などと、を含んで構成されるデザイン提供事業者毎に異なる視聴者用コンテンツのデザインと、目標電力消費量と、を関係付けて蓄積することができるデザイン記憶装置を備え、前記コンテンツ視聴装置から送信された前記コンテンツ作成情報を受信する通信部２と、受信された前記コンテンツ作成情報に基づいて、宅内で消費されている電力の総量である宅内電力消費量を取得する電力消費量特定部と、取得された前記宅内電力消費量が超える前記目標電力消費量の内、最大の前記目標電力消費量と関係付けて前記デザイン記憶装置に蓄積されている前記デザイン提供事業者毎に異なる視聴者用コンテンツのデザインを取得し、取得された前記デザイン提供事業者毎に異なる視聴者用コンテンツのデザインの一覧を含んだ視聴者用コンテンツを作成する視聴者用コンテンツ作成部と、を有し、前記通信部２は、作成された前記視聴者用コンテンツを前記コンテンツ視聴装置に対して送信する機能をさらに有し、前記通信部１は、前記コンテンツ作成装置から送信された前記視聴者用コンテンツを受信する機能をさらに有することを特徴とする広告代理システムが提供される。
【００３２】
また、電力消費量取得装置をさらに含んで構成される前記広告代理システムであって、前記電力消費量取得装置と前記コンテンツ視聴装置とは電気通信回線を介して接続され、前記コンテンツ視聴装置は、前記電力消費量取得装置に対して前記宅内電力消費量を要求する宅内電力消費量要求信号を送信する機能をさらに有する前記通信部１を有し、前記電力消費量取得装置は、前記コンテンツ視聴装置から送信された前記宅内電力消費量要求信号を受信する機能と、前記宅内電力消費量要求信号を受信した場合、前記宅内電力消費量を前記コンテンツ視聴装置に対して送信する機能と、を有する通信部３を有し、前記通信部１は、前記電力消費量取得装置から送信された前記宅内電力消費量を受信する機能をさらに有しても良い。
【００３３】
また、電力消費量取得装置をさらに含んで構成される前記広告代理システムであって、前記電力消費量取得装置と前記コンテンツ作成装置とは電気通信回線を介して接続され、前記電力消費量取得装置は、予め定められた周期で、電力消費量取得装置毎に異なる識別情報と、前記宅内電力消費量と、を前記コンテンツ作成装置に対して送信する機能を有する通信部３を有し、前記コンテンツ作成装置は、前記電力消費量取得装置毎に異なる識別情報と、前記宅内電力消費量と、を関係付けて蓄積することができる電力消費量記憶装置を備え、前記電力消費量取得装置から送信された、前記電力消費量取得装置毎に異なる識別情報と、前記宅内電力消費量とを、受信した場合、受信された、前記電力消費量取得装置毎に異なる識別情報と、前記宅内電力消費量と、を関係付けて前記電力消費量記憶装置に蓄積する機能をさらに有する前記通信部２を有しても良い。
【００３４】
また、前記広告代理システムに含まれる前記コンテンツ作成装置であって、前記コンテンツ作成装置は、前記宅内電力消費量を含んだ前記視聴者用コンテンツを作成する機能をさらに有する前記視聴者用コンテンツ作成部を有することが好ましい。
【００３５】
また、前記広告代理システムに含まれる前記コンテンツ作成装置であって、前記コンテンツ作成装置は、前記宅内電力消費量に基づいて、前記宅内電力消費量の対価として支払われる電力使用料金である宅内電力使用料金を算出し、算出された前記宅内電力使用料金を含んだ前記視聴者用コンテンツを作成する機能をさらに有する前記視聴者用コンテンツ作成部を有することが好ましい。
【００３６】
また、前記広告代理システムに含まれる前記コンテンツ作成装置であって、前記コンテンツ作成装置は、前記宅内電力消費量を削減するために利用可能なアドバイスを節電アドバイスとし、前記節電アドバイスを蓄積したアドバイス記憶装置をさらに備え、前記アドバイス記憶装置に蓄積されている一つ又は複数の前記節電アドバイスを取得し、取得された前記節電アドバイスを含んだ前記視聴者用コンテンツを作成する機能をさらに有する前記視聴者用コンテンツ作成部を有することが好ましい。
【００３７】
また、前記広告代理システムに含まれる前記コンテンツ作成装置とであって、前記コンテンツ作成装置は、前記宅内電力消費量を削減するために利用可能なアドバイスを節電アドバイスとし、前記節電アドバイスと前記目標電力消費量とを関係付けて蓄積することができるアドバイス記憶装置さらに備え、前記宅内電力消費量が超える前記目標電力消費量の内、最大の前記目標電力消費量と関係付けて前記アドバイス記憶装置に蓄積されている前記節電アドバイスの内のいずれか一つ又は複数の前記節電アドバイスを含んだ前記視聴者用コンテンツを作成する機能をさらに有する前記視聴者用コンテンツ作成部を有することが好ましい。
【００３８】
また、前記広告代理システムに含まれる前記コンテンツ視聴装置と前記コンテンツ作成装置とであって、前記コンテンツ視聴装置は、前記宅内電力消費量を前記コンテンツ作成情報とし、前記コンテンツ作成装置に対して前記コンテンツ作成情報を送信する前記通信部１を有し、前記コンテンツ作成装置は、前記コンテンツ視聴装置から送信された前記コンテンツ作成情報を受信する前記通信部２を有し、受信された前記コンテンツ作成情報を前記宅内電力消費量とすることが好ましい。
【００３９】
また、前記広告代理システムに含まれる前記コンテンツ視聴装置と前記コンテンツ作成装置とであって、前記コンテンツ視聴装置は、前記電力消費量取得装置毎に異なる識別情報を前記コンテンツ作成情報とし、前記コンテンツ作成装置に対して前記コンテンツ作成情報を送信する前記通信部１を有し、前記コンテンツ作成装置は、前記コンテンツ視聴装置から送信された前記コンテンツ作成情報を受信する前記通信部２を有し、受信された前記コンテンツ作成情報を前記電力消費量取得装置毎に異なる識別情報とし、前記電力消費量取得装置毎に異なる識別情報と関係付けて前記電力消費量記憶装置に蓄積されている前記宅内電力消費量を取得する宅内電力消費量特定部を有することが好ましい。
【００４０】
また、前記広告代理システムに含まれる前記コンテンツ視聴装置であって、前記コンテンツ視聴装置は、前記視聴者用コンテンツに含まれる前記デザイン提供事業者毎に異なる視聴者用コンテンツのデザインの一覧の内のいずれか一つが選択された場合、選択された前記デザイン提供事業者毎に異なる視聴者用コンテンツのデザインが配置される、前記デザイン提供事業者毎に異なる視聴者用コンテンツのデザインの一覧中の位置を取得し、取得された前記一覧中の位置を前記コンテンツ作成装置に対して送信する機能をさらに有する前記通信部１を有し、前記コンテンツ作成装置は、前記コンテンツ視聴装置から送信された前記一覧中の位置を受信する機能をさらに有する前記通信部２と、受信された前記一覧中の位置に配置される前記デザイン提供事業者毎に異なる視聴者用コンテンツのデザインに基づいて、前記視聴者用コンテンツを変更する機能をさらに有する前記視聴者用コンテンツ作成部と、を有することが好ましい。
【００４１】
尚、上記各構成要件は、技術的に可能な限り、任意に取捨選択できるものとする。また、広告代理システムに含まれるコンテンツ視聴装置、コンテンツ作成装置、電力消費量取得装置、電力消費量記憶装置等のそれぞれの構成により特定される発明も含まれる。
【発明の効果】
【００４２】
本発明を用いることによって以下の効果を得ることが可能である。また以下では、社電力消費者が消費する電力の総量を電力消費量としている。
【００４３】
本発明では、電力消費者に対して提供されるコンテンツは、電力消費量を削減するアドバイスと、電力消費者が常時確認すると考えられる、例えば電力消費量、及び、電力消費量に基づく電力使用料金を含んだものとする。また、電力消費者に対して提供されるコンテンツのデザインは、変更可能なものとしている。
【００４４】
また、電力消費者に対して提供されるコンテンツのデザインの一部、又は、すべては、デザイン提供事業者から提供されるものとし、提供したデザイン提供事業者の広告を含んでいるものとしている。
【００４５】
また、デザイン提供事業者から提供されたコンテンツのデザインは、予め定められた目標電力消費量と関係付けられているものとしている。但し、目標電力消費量が多い場合のデザイン提供事業者から提供されるコンテンツのデザインは、目標電力消費量が少ない場合のデザイン提供事業者から提供されるコンテンツのデザインより美感が増すものとしている。
【００４６】
また、電力消費量が超える目標電力消費量の内、最大の目標電力消費量を取得し、取得された目標電力消費量と関係付けられているデザイン提供事業者から提供されたコンテンツのデザインを一覧にしたものを電力消費者に提供するものとしている。
【００４７】
また、電力消費者によってその一覧中から一つが選択され、選択されたデザイン提供事業者から提供されたコンテンツのデザインを電力消費者に対して提供されるコンテンツのデザインとしている。
【００４８】
したがって、より美感が増すデザイン提供事業者から提供されたコンテンツのデザインを取得させることを目的とし、広告代理システムの利用と電力消費量の削減とを電力消費者に持続しておこなわせることが可能となる。
【００４９】
また、デザイン提供事業者から提供されるコンテンツのデザインは、デザイン提供事業者の広告を含んでいるものとしているため、デザイン提供事業者は無償で、又は、広告代理システムのライフサイクルコストの一部を支払ってでもコンテンツのデザインを提供する価値がある。
【００５０】
また、電力消費者に対して、すべてのデザイン提供事業者から提供されたコンテンツのデザインを閲覧させることも可能である。
【図面の簡単な説明】
【００５１】
【図１】非特許文献１において開示されている、地域情報管理システムの一例を示す図である。
【図２】非特許文献２において開示されている、宅内情報管理システムの一例を示す図である。
【図３】第１の実施形態と第３の実施形態と第４の実施形態と第５の実施形態とにおける広告代理システムの一例を示す図である。
【図４】第１の実施形態における複数の拠点がある場合の広告代理システムの一例を示す図である。
【図５】第１の実施形態における視聴者用コンテンツの一例を示す図である。
【図６】第２の実施形態における広告代理システムの一例を示す図である。
【図７】第１の実施形態から第５の実施形態までにおけるコンテンツ視聴装置の機能ブロックを示す図である。
【図８Ａ】第１の実施形態と第３の実施形態とにおけるコンテンツ作成装置の機能ブロックを示す図である。
【図８Ｂ】第２の実施形態におけるコンテンツ作成装置の機能ブロックを示す図である。
【図８Ｃ】第４の実施形態と第５の実施形態とにおけるコンテンツ作成装置の機能ブロックを示す図である。
【図９】第１の実施形態から第５の実施形態までにおける電力消費量取得装置の機能ブロックを示す図である。
【図１０】第１の実施形態における分電装置の機能ブロックを示す図である。
【図１１】第１の実施形態におけるコンテンツ作成装置が宅内電力消費量を取得する処理の流れを示すフローチャート図である。
【図１２】第１の実施形態における視聴者用コンテンツの作成に関する処理の流れを示すフローチャート図である。
【図１３】第１の実施形態における視聴者用コンテンツのデザインの変更に関する処理の流れを示すフローチャート図である。
【図１４】第２の実施形態における処理の流れを示すフローチャート図である。
【図１５】第３の実施形態における処理の流れを示すフローチャート図である。
【図１６】第４の実施形態における処理の流れを示すフローチャート図である。
【図１７】第５の実施形態における処理の流れを示すフローチャート図である。
【発明を実施するための形態】
【００５２】
以下、図面を参照しながら本発明の実施形態について説明する。
（第１の実施形態）
本発明における広告代理システムについて図３に示した。
図３によれば、広告代理システムは拠点に設けられ、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、コンテンツ視聴装置（３４１）で視聴するコンテンツを作成するコンテンツ作成装置（３５１）と、を含んで構成される。
【００５３】
また、広告代理システムは、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、コンテンツ作成装置（３５１）と、が宅内に配置されている場合と、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、が宅内に配置され、コンテンツ作成装置（３５１）が宅外に配置されている場合と、の２つの場合が想定される。
【００５４】
特に、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、が宅内に配置され、コンテンツ作成装置（３５１）が宅外に配置されている場合、図４に示すとおり、コンテンツ作成装置（３５１）に対して、複数の拠点が接続される。
【００５５】
一方、拠点が複数であっても、拠点１（４０１）とコンテンツ作成装置（３５１）との接続を対象とした説明が、拠点２（４０２）とコンテンツ作成装置（３５１）との接続、同様に、拠点３（４０３）から拠点ｎ（４０ｎ）までとコンテンツ作成装置（３５１）との接続を対象とした説明と同一であるため、以下においては、拠点１（４０１）とコンテンツ作成装置（３５１）との接続を対象とした説明のみをおこない、拠点２（４０２）とコンテンツ作成装置（３５１）との接続、同様に、拠点３（４０３）から拠点ｎ（４０ｎ）までとコンテンツ作成装置（３５１）との接続を対象とした説明はおこなわないものとする。
【００５６】
また、拠点１（４０１）とコンテンツ作成装置（３５１）との接続を対象とした説明は、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、コンテンツ作成装置（３５１）と、が宅内に配置されている場合の説明と類似しているため、拠点１（４０１）とコンテンツ作成装置（３５１）との接続を対象とした説明もおこなわないものとする。
【００５７】
また、電力源（３０１）と分電装置（３１１）とは電力線を介して接続され、分電装置（３１１）と、負荷装置（３３１）から負荷装置（３３ｎ）までの各々と、は電力線を介して接続されている。
【００５８】
一方、電力消費量取得装置（３２１）とコンテンツ視聴装置（３４１）とコンテンツ作成装置（３５１）とに対しても電力が供給されるが、電力消費量取得装置（３２１）とコンテンツ視聴装置（３４１）とコンテンツ作成装置（３５１）とに対する電力の供給については重要ではないため、説明をおこなわないものとする。
【００５９】
また、電力消費量取得装置（３２１）とコンテンツ視聴装置（３４１）とは電気通信回線を介して接続され、コンテンツ視聴装置（３４１）とコンテンツ作成装置（３５１）とは電気通信回線を介して接続されるものとする。
【００６０】
図７は、コンテンツ視聴装置（３４１）の一構成例を示す図である。図７によれば、コンテンツ視聴装置（３４１）は、通信部（３４１−１）を有している。
【００６１】
図８Ａは、コンテンツ作成装置（３５１）の一構成例を示す図である。図８Ａによれば、コンテンツ作成装置（３５１）は、通信部（３５１−１）、宅内電力消費量特定部（３５１−２）、視聴者用コンテンツ作成部（３５１−４）、デザイン記憶装置（３５１−６）を有している。
【００６２】
図９は、電力消費量取得装置（３２１）の一構成例を示す図である。図９によれば、電力消費量取得装置（３２１）は、通信部（３２１−１）を有している。
【００６３】
図１０は、分電装置（３１１）の一構成例を示す図である。図１０によれば、分電装置（３１１）は、通信部（３１１−１）を有している。
【００６４】
図１１は、第１の実施形態におけるコンテンツ作成装置（３５１）が宅内電力消費量を取得する処理の流れを示すフローチャート図である。
図１１によれば、Ｓｔａｒｔ後、コンテンツ視聴装置（３４１）では以下が実行される。
【００６５】
通信部（３４１−１）は、電力消費量取得装置（３２１）に対して宅内で消費される電力の総量である宅内電力消費量を要求する（ステップＳ１１）。
以上が、コンテンツ視聴装置（３４１）で実行される。
【００６６】
電力消費量取得装置（３２１）の通信部（３２１−１）は、コンテンツ視聴装置（３４１）から送信された宅内電力消費量の要求を受信可能で、電力消費量取得装置（３２１）の通信部（３２１−１）が、コンテンツ視聴装置（３４１）から送信された宅内電力消費量の要求を受信した場合（ステップＳ１２）、電力消費量取得装置（３２１）では以下が実行される。
【００６７】
通信部（３２１−１）は、分電装置（３１１）に対して宅内電力消費量を要求する（ステップ１３）。
以上が、電力消費量取得装置（３２１）で実行される。
【００６８】
分電装置（３１１）の通信部（３１１−１）は、電力消費量取得装置（３２１）から送信された宅内電力消費量の要求を受信可能で、分電装置（３１１）の通信部（３１１−１）が、電力消費量取得装置（３２１）から送信された宅内電力消費量の要求を受信した場合（ステップ１４）、分電装置（３１１）では以下が実行される。
【００６９】
通信部（３１１−１）は、電力源（３０１）から供給される宅内電力消費量を取得し、取得された宅内電力消費量を電力消費量取得装置（３２１）に対して送信する（ステップ１５）。
以上が、分電装置（３１１）で実行される。
【００７０】
電力消費量取得装置（３２１）の通信部（３２１−１）は、分電装置（３１１）から送信された宅内電力消費量を受信可能で、電力消費量取得装置（３２１）の通信部（３２１−１）が、分電装置（３１１）から送信された宅内電力消費量を受信した場合（ステップ１６）、電力消費量取得装置（３２１）では以下が実行される。
【００７１】
通信部（３２１−１）は、受信された宅内電力消費量をコンテンツ視聴装置（３４１）に対して送信する（ステップＳ１７）。
【００７２】
但し、宅内電力消費量とは、取得された瞬間の宅内で消費される電力の総量又は、任意の時間内に宅内で消費される電力の総量（例えば、任意の時間が１時間である場合、１時間内に宅内で消費された電力の総量とし、任意の時間が１日である場合、１日内に宅内で消費された電力の総量とし、任意の時間が１週間である場合、１週間内に宅内で消費された電力の総量とし、任意の時間が１ヶ月である場合、１ヶ月内に宅内で消費された電力の総量とし、任意の時間が１年である場合、１年内に宅内で消費された電力の総量とする）又は、取得された瞬間の宅内で消費される電力の総量と、その周辺の時刻で取得された瞬間の宅内で消費される電力の総量と、の平均値等とし、これら以外についても含まれるものとしている。
以上が、電力消費量取得装置（３２１）で実行される。
【００７３】
コンテンツ視聴装置（３４１）の通信部（３４１−１）は、電力消費量取得装置（３２１）から送信された宅内電力消費量を受信可能で、コンテンツ視聴装置（３４１）の通信部（３４１−１）が、電力消費量取得装置（３２１）から送信された宅内電力消費量を受信した場合（ステップＳ１８）、コンテンツ視聴装置（３４１）では以下が実行される。
【００７４】
通信部（３４１−１）は、受信された宅内電力消費量をコンテンツ作成装置（３５１）に対して送信する（ステップＳ１９）。
以上が、コンテンツ視聴装置（３４１）で実行される。
【００７５】
コンテンツ作成装置（３５１）は、目標電力消費量と、デザイン提供事業者毎に異なるコンテンツのデザインと、を関係付けて蓄積することができるデザイン記憶装置（３５１−６）を備えている。
【００７６】
但し、目標電力消費量とは、宅内電力消費量と比較されるものであり、複数準備されているものとする。また、目標電力消費量が小さくなるにつれて、デザイン提供事業者毎に異なるコンテンツのデザインの美感が増すものとしている。
【００７７】
また、デザイン提供事業者は、コンテンツ作成装置（３５１）が備えるデザイン記憶装置（３５１−６）にデザイン提供事業者毎に異なるコンテンツのデザインを蓄積しなければならないが、この方法については重要でないため説明を省略する。
【００７８】
また、デザイン提供事業毎に異なるコンテンツのデザインとは、デザイン提供事業者の広告と、画像、音、動画、文字、記号などとを含んで構成されるものとしている。
【００７９】
図１２は、第１の実施形態における視聴者用コンテンツの作成に関する処理の流れを示すフローチャート図である。
【００８０】
コンテンツ作成装置（３５１）の通信部（３５１−１）は、コンテンツ視聴装置（３４１）から送信された宅内電力消費量を受信可能で、コンテンツ作成装置（３５１）の通信部（３５１−１）が、コンテンツ視聴装置（３４１）から送信された宅内電力消費量を受信した場合（ステップＳ２）、コンテンツ作成装置（３５１）では以下が実行される。
【００８１】
はじめに、宅内電力消費量特定部（３５１−２）は、取得した宅内電力消費量とデザイン記憶装置（３５１−６）に記憶されている目標電力消費量とを比較し、宅内電力消費量が超える目標電力消費量の内、最大の目標電力消費量を取得し（ステップＳ４）、取得された最大の目標電力消費量と関係付けてデザイン記憶装置（３５１−６）に蓄積されている、デザイン提供事業者毎に異なる視聴者用コンテンツのデザインをすべて取得する（ステップＳ５）。
【００８２】
次に、視聴者用コンテンツ作成部（３５１―４）は、取得されたデザイン提供事業者毎に異なるコンテンツのデザインを一覧にしたものを含む視聴者用コンテンツを作成する（ステップＳ６）。但し、視聴者用コンテンツとは、コンテンツ視聴装置（３４１）を利用する視聴者が閲覧可能なものとしている。
【００８３】
また、図５に示すとおり、デザイン提供事業者毎に異なる視聴者用コンテンツのデザインの一覧（５０２）は、デザイン提供事業者毎に異なるコンテンツのデザインを適当な大きさに圧縮し、横一列に並べたものとしている。また、デザイン提供事業者毎に異なるコンテンツのデザインの量に応じて、両脇に矢印ボタンを配置するものとしている。この矢印ボタンの内、右の矢印ボタン（５０３）を押した場合、１つのデザイン提供事業者毎に異なるコンテンツのデザイン分、右にスクロールし、左の矢印ボタン（５０４）を押した場合、１つのデザイン提供事業者毎に異なるコンテンツのデザイン分左にスクロールするものとしている。但し、デザイン提供事業者毎に異なるコンテンツのデザインの一覧は一例であり、これに限らず他のものでも構わない。
【００８４】
また、デザイン提供事業者毎に異なるコンテンツのデザインの一覧に載っているデザイン提供事業者毎に異なるコンテンツのデザインには、互いに異なる番号が付されているものとしている。
【００８５】
また、視聴者用コンテンツは、宅内電力消費量の表示部分（５０１）を含んだものとしている。宅内電力消費量の表示部分（５０１）は受信された宅内電力消費量が表示されるものであり、デザイン提供事業者毎に異なるコンテンツのデザインの一覧とは別の位置に配置されるものとしている。
【００８６】
また、視聴者用コンテンツのデザインは変更することが可能なものとし、この視聴者用コンテンツのデザインは、視聴者用コンテンツに含まれるデザイン提供事業者毎に異なるコンテンツのデザインの一覧中から適当に選択されたものであっても良いし、デザイン提供事業者から提供されたものでないものであっても構わない。
【００８７】
次に、通信部（３５１−１）は、作成された視聴者用コンテンツをコンテンツ視聴装置（３４１）に対して送信する（ステップＳ７）。
以上が、コンテンツ作成装置（３５１）で実行される。
【００８８】
コンテンツ視聴装置（３４１）の通信部（３４１−１）は、コンテンツ作成装置（３５１）から送信された視聴者用コンテンツを受信可能で、コンテンツ視聴装置（３４１）の通信部（３４１−１）が、コンテンツ作成装置（３５１）から送信された視聴者用コンテンツを受信した場合（ステップＳ８）、コンテンツ視聴装置（３４１）では以下が実行される。
【００８９】
コンテンツ視聴装置（３４１）を利用する視聴者に対して受信された視聴者用コンテンツを視聴させる。
以上が、コンテンツ視聴装置（３４１）で実行される。
【００９０】
図１３は、第１の実施形態における視聴者用コンテンツのデザインの変更に関する処理の流れを示すフローチャート図である。
図１３によれば、Ｓｔａｒｔ後、コンテンツ視聴装置（３４１）では以下が実行される。
【００９１】
はじめに、コンテンツ視聴装置（３４１）を利用する視聴者に対して、宅内電力消費量とデザイン提供事業者毎に異なるコンテンツのデザインの一覧とを含んだ視聴者用コンテンツを提供する。
【００９２】
次に、コンテンツ視聴装置（３４１）を利用する視聴者によって、コンテンツ視聴装置（３４１）から提供される視聴者用コンテンツに含まれるデザイン提供事業者毎に異なるコンテンツのデザインの一覧から、一つのデザイン提供事業者毎に異なるコンテンツのデザインが選択される。
【００９３】
但し、この選択については、コンテンツ視聴装置（３４１）がタッチパネルを備える場合、タッチパネルをタッチすることによって、また、ボタンを備える場合、ボタンによってカーソルを移動することによって、デザイン提供事業者毎に異なるコンテンツのデザインを選択する。但し、これらの選択方法は一例であって、これら以外の選択方法であっても構わない。
【００９４】
次に、デザイン提供事業者毎に異なるコンテンツのデザインの一覧から、いずれのデザイン提供事業者毎に異なるコンテンツのデザインを選択されたのかを認識し、認識されたデザイン提供事業者毎に異なるコンテンツのデザインに付されている番号を取得する（ステップＳ８２）。
【００９５】
次に、通信部（３４１−１）は、取得されたデザイン提供事業者毎に異なるコンテンツのデザインに付された番号をコンテンツ作成装置（３５１）に対して送信する（ステップＳ８３）。
以上が、コンテンツ視聴装置（３４１）で実行される。
【００９６】
コンテンツ作成装置（３５１）の通信部（３５１−４）は、コンテンツ視聴装置（３４１）から送信されたデザイン提供事業者毎に異なるデザインに付された番号を受信可能で、コンテンツ作成装置（３５１）の通信部（３５１−１）が、コンテンツ視聴装置（３４１）から送信されたデザイン提供事業者毎に異なるデザインに付された番号を受信した場合（ステップＳ８４）、コンテンツ作成装置（３５１）では以下が実行される。
【００９７】
はじめに、視聴者用コンテンツ作成部（３５１−１）は、受信されたデザイン提供事業者毎に異なるコンテンツのデザインに付された番号に基づいて、デザイン提供事業者毎に異なるコンテンツのデザインを取得し、取得されたデザイン提供事業者毎に異な視聴者用コンテンツのデザインを視聴者用コンテンツに適用する（ステップＳ８５）。
【００９８】
次に、通信部（３５１−１）は、取得されたデザイン提供事業者毎に異なるコンテンツのデザインが適用された視聴者用コンテンツをコンテンツ視聴装置（３４１）に対して送信する（ステップＳ８６）。
以上が、コンテンツ作成装置（３５１）で実行される。
【００９９】
コンテンツ視聴装置（３４１）の通信部（３４１−１）は、コンテンツ作成装置（３５１）から送信された視聴者用コンテンツを受信可能で、コンテンツ視聴装置（３４１）の通信部（３４１−１）が、コンテンツ作成装置（３５１）から送信された視聴者用コンテンツを受信した場合（ステップＳ８７）、コンテンツ視聴装置（３４１）では以下が実行される。
【０１００】
コンテンツ視聴装置（３４１）を利用する視聴者に対して受信された視聴者用コンテンツを視聴させる。
以上が、コンテンツ視聴装置（３４１）で実行される。
【０１０１】
第１の実施形態を用いることによって、以下の効果を得ることが可能となる。
第１の実施形態では、宅内電力消費量がコンテンツ作成装置（３５１）に対して送信される。
【０１０２】
コンテンツ作成装置（３５１）は、宅内電力消費量を受信した場合、受信された宅内電力消費量と目標電力消費量とを比較し、宅内電力消費量が超える目標電力消費量の内、最大の目標電力消費量を取得し、取得された目標電力消費量と関係付けてコンテンツ記憶装置に蓄積されているデザイン提供事業者毎に異なるコンテンツのデザインをすべて取得し、取得されたデザイン提供事業者毎に異なるコンテンツのデザインの一覧と受信された宅内電力消費量とを含んだ視聴者用コンテンツを作成する。
【０１０３】
コンテンツ視聴装置（３４１）を利用する視聴者は、視聴者用コンテンツに含まれるデザイン提供事業者毎に異なるコンテンツのデザインの一覧を閲覧することが可能であり、デザイン提供事業者毎に異なるコンテンツのデザインの一覧中の任意の一つを選択し、選択されたデザイン提供事業者毎に異なるコンテンツのデザインを視聴者用コンテンツに適応することも可能である。
【０１０４】
但し、デザイン提供事業者毎に異なるコンテンツのデザインはデザイン提供事業者の広告を含んでいるものとする。したがって、コンテンツ視聴装置（３４１）を利用する視聴者が、デザイン提供事業者毎に異なるコンテンツのデザインの一覧を閲覧するということは、コンテンツ視聴装置（３４１）を利用する視聴者がデザイン提供事業者の広告を一覧することと同義となる。したがって、コンテンツ視聴装置（３４１）を利用する視聴者に対して、デザイン提供事業者の広告を配信していることとも同義となる。
【０１０５】
また、コンテンツ作成装置（３５１）が備えるデザイン記憶装置に蓄積される視聴者用コンテンツのデザインの多くは、デザイン提供事業者から提供されるため、コンテンツ作成装置（３５１）に蓄積される視聴者用コンテンツのデザインが枯渇することはない。
また、宅内電力消費量を常時表示するため、コンテンツ視聴装置（３４１）を利用する視聴者に、頻繁に視聴者用コンテンツを閲覧させることが可能となる。
【０１０６】
また、宅内電力消費量の削減に伴い、より美感が増すデザイン提供事業者毎に異なるコンテンツのデザインを取得することが可能なため、より美感が増すデザイン提供事業者毎に異なるコンテンツのデザインを取得することを目標として、コンテンツ視聴装置（３４１）に持続して宅内電力消費量を削減させることが可能である。
【０１０７】
（第２の実施形態）
第２の実施形態について以下に説明する。第２の実施形態は、第１の実施形態で説明された広告代理システムの一部を変更したものである。以下、変更した部分について詳しく説明する。
【０１０８】
第２の実施形態では、図６に示すとおりの広告代理システムを想定している。
第２の実施形態では、電力消費量取得装置（３２１）とコンテンツ作成装置（３５１）とが電気通信回線を介して接続され、コンテンツ視聴装置（３４１）とコンテンツ作成装置（３５１）とが電気通信回線を介して接続されているものとしている。
【０１０９】
図８Ｂは、コンテンツ作成装置（３５１）の一構成例を示す図である。図８Ｂによれば、コンテンツ作成装置（３５１）は、通信部（３５１−１）と電力消費量特定部（３５１−２）と視聴者用コンテンツ作成部（３５１−４）とデザイン記憶装置（３５１−６）とを有している。
【０１１０】
また、コンテンツ作成装置（３５１）は、電力消費量取得装置毎に異なる識別情報と、宅内電力消費量と、を関係付けて蓄積することができる電力消費量記憶装置（３５１−１）を備えているものとしている。
【０１１１】
図１４は、第２の実施形態における処理の流れを示すフローチャート図である。
電力消費量取得装置（３２１）の通信部（３２１−１）は、予め定められた周期で分電装置（３１１）から送信された宅内電力消費量を受信可能で、電力消費量取得装置（３２１）の通信部（３２１−１）が、分電装置（３１１）から送信された宅内電力消費量を受信した場合（ステップＳ２１）、電力消費量取得装置（３２１）では以下が実行される。
【０１１２】
通信部（３２１−１）は、電力消費量取得装置毎に異なる識別情報と宅内電力消費量とをコンテンツ作成装置（３５１）に対して送信する（ステップＳ２２）。
以上が、電力消費量取得装置（３２１）で実行される。
【０１１３】
コンテンツ作成装置（３５１）の通信部（３５１−１）は、電力消費量取得装置（３２１）から送信された電力消費量取得装置毎に異なる識別情報と宅内電力消費量とを受信可能で、コンテンツ作成装置（３５１）の通信部（３５１−１）が、電力消費量取得装置（３２１）から送信された電力消費量取得装置毎に異なる識別情報と宅内電力消費量とを受信した場合（ステップＳ２３）、コンテンツ作成装置（３５１）では以下が実行される。
【０１１４】
通信部（３５１−１）は、受信された電力消費量取得装置毎に異なる識別情報と宅内電力消費量とを関係付けて電力消費量記憶装置（３５１−５）に蓄積する（ステップＳ２４）。
以上が、コンテンツ作成装置（３５１）で実行される。
【０１１５】
コンテンツ視聴装置（３４１）の通信部（３４１−１）は、コンテンツ作成装置（３５１）に対して、電力消費量取得装置毎に異なる識別情報を送信する。
【０１１６】
コンテンツ作成装置（３５１）の通信部（３５１−１）は、コンテンツ視聴装置（３４１）から送信された電力消費量取得装置毎に異なる識別情報を受信可能で、コンテンツ作成装置（３５１）の通信部（３５１−１）が、コンテンツ視聴装置（３４１）から送信された電力消費量取得装置毎に異なる識別情報を受信した場合、コンテンツ作成装置（３５１）では以下が実行される。
【０１１７】
はじめに、宅内電力消費量特定部（３５１−２）は、受信された電力消費量取得装置毎に異なる識別情報と関係付けて電力消費量記憶装置に蓄積されている宅内電力消費量を取得する。
【０１１８】
次に、視聴者用コンテンツ作成部（３５１−４）は、取得された宅内電力消費量を含んだ視聴者用コンテンツを作成する。
【０１１９】
次に、通信部（３５１−１）は、作成された視聴者用コンテンツをコンテンツ視聴装置（３４１）に対して送信する。
以上が、コンテンツ作成装置（３５１）で実行される。
【０１２０】
コンテンツ視聴装置（３４１）の通信部（３４１−１）は、コンテンツ作成装置（３５１）から送信された視聴者用コンテンツを受信可能で、コンテンツ視聴装置（３４１）の通信部（３４１−１）が、コンテンツ作成装置（３５１）から送信された視聴者用コンテンツを受信した場合、コンテンツ視聴装置（３４１）では以下が実行される。
【０１２１】
コンテンツ視聴装置（３４１）を利用する視聴者に対して受信された視聴者用コンテンツを視聴させる。
以上が、コンテンツ視聴装置（３４１）で実行される。
【０１２２】
第２の実施形態を用いることによって、以下の効果を得ることが可能である。
第１の実施形態では、コンテンツ視聴装置（３４１）は、電力消費量取得装置（３２１）から宅内電力消費量を受信し、受信された宅内電力消費量をコンテンツ作成装置（３５１）に対して送信することによって、視聴者用コンテンツを受信できるものとしている。
【０１２３】
一方、電力消費量取得装置（３２１）は、宅内電力消費量を取得しなければならない上、コンテンツ視聴装置（３４１）は電力消費量取得装置（３２１）から宅内電力消費量を受信できなければならないため、電力消費量取得装置（３２１）から宅外のコンテンツ視聴装置（３４１）に対して宅内電力消費量を送信可能にしない限り、コンテンツ視聴装置（３４１）を宅外で利用することはできない。
【０１２４】
第２の実施形態では、コンテンツ視聴装置（３４１）は、コンテンツ作成装置（３５１）に対して、宅内電力消費量ではなく電力消費量取得装置毎に異なる識別情報を送信するため、コンテンツ視聴装置（３４１）が宅外であっても、コンテンツ視聴装置（３４１）の利用者に視聴者用コンテンツを視聴させることができる。
【０１２５】
（第３の実施形態）
第３の実施形態について以下に説明する。第３の実施形態は、第１の実施形態又は第２の実施形態で説明された広告代理システムに新たな機能を追加したものである。以下、追加した機能について詳しく説明する。
【０１２６】
図８Ａは、コンテンツ作成装置（３５１）の一構成例を示す図である。図８Ａによれば、コンテンツ作成装置（３５１）は、通信部（３５１−１）と宅内電力消費量特定部（３５１−２）と視聴者用コンテンツ作成部（３５１−４）とデザイン記憶装置（３５１−６）とを有している。
【０１２７】
以下では、第１の実施形態を例に説明する。
図１５は、第３の実施形態における処理の流れを示すフローチャート図である。
図１５によれば、Ｓｔａｒｔ後、コンテンツ作成装置（３５１）では以下が実行される。
【０１２８】
はじめに、視聴者用コンテンツ作成部（３５１−４）は、宅内電力消費量に基づいて、宅内電力消費量の対価として電力供給事業者に対して支払われるべき電力使用料金である宅内電力使用料金を算出し（ステップＳ３１）、算出された宅内電力使用料金を含んだ視聴者用コンテンツを作成する（ステップＳ３２）。
【０１２９】
次に、通信部（３５１−１）は、コンテンツ視聴装置（３４１）に対して作成された視聴者用コンテンツを送信する。
【０１３０】
但し、宅内電力使用料金の算出方法は電力供給事業者毎に異なるため、宅内電力使用料金は宅内電力消費量と、電力供給事業者から提供される宅内電力使用料金の算出方法と、に基づいて算出するものとしている。
以上が、コンテンツ作成装置（３５１）で実行される。
【０１３１】
コンテンツ視聴装置（３４１）の通信部（３４１−１）は、コンテンツ作成装置（３５１）から送信された視聴者用コンテンツを受信可能で、コンテンツ視聴装置（３４１）の通信部（３４１−１）が、コンテンツ作成装置（３５１）から送信された視聴者用コンテンツを受信した場合、コンテンツ視聴装置（３４１）では以下が実行される。
【０１３２】
コンテンツ視聴装置（３４１）を利用する視聴者に対して受信された視聴者用コンテンツを視聴させる。
以上が、コンテンツ視聴装置（３４１）で実行される。
【０１３３】
第３の実施形態を利用することによって、以下の効果を得ることが可能となる。
第１の実施形態と第２の実施形態とでは、宅内電力消費量と、デザイン提供事業者毎に異なるコンテンツのデザインの一覧と、を含んだ視聴者用コンテンツをコンテンツ視聴装置（３４１）に対して送信するものとしている。
【０１３４】
一方、宅内電力使用料金は、宅内電力消費量と、電力供給事業者から提供される宅内電力使用料金の算出方法と、に基づいて算出されるため、コンテンツ視聴装置（３４１）を利用する視聴者は宅内電力消費量から宅内電力使用料金を推定することは難しい。したがって、コンテンツ視聴装置（３４１）を利用する視聴者は、料金という共通の価値で宅内電力消費量をはかることができないため、電力利用に関する計画をたてること等も難しいものとなると考えられる。
【０１３５】
第３の実施形態では、宅内電力消費量と、宅内電力使用料金と、デザイン提供事業者毎に異なるコンテンツのデザインの一覧と、を含んだ視聴者用コンテンツをコンテンツ視聴装置（３４１）に対して送信するものとしているため、料金という共通の価値で宅内電力消費量をはかることができる。
【０１３６】
（第４の実施形態）
第４の実施形態について以下に説明する。第４の実施形態は、第１の実施形態から第３の実施形態までのいずれか一つの実施形態で説明された広告代理システムに新たな機能を追加したものである。以下、追加した機能について詳しく説明する。
【０１３７】
図８Ｃは、コンテンツ作成装置（３５１）の一構成例を示す図である。
図８Ｃによれば、コンテンツ作成装置（３５１）は、通信部（３５１−１）と電力消費量特定部（３５１−２）と視聴者用コンテンツ作成部（３５１−４）とデザイン記憶装置（３５１−６）とアドバイス記憶装置（３５１−７）とを有している。
【０１３８】
以下では、第１の実施形態を例に説明する。
コンテンツ作成装置（３５１）は、宅内電力消費量を削減するためのアドバイスである節電アドバイスを蓄積するアドバイス記憶装置を備えている。また、節電アドバイスとしては例えば、以下の３つのようなもの等が挙げられる。
・利用していない間はコンセントを抜きましょう。コンセントを抜くことで待機電力がなくなるため、電力消費量を抑えることができます。
・冷蔵庫にものをつめすぎるのはやめましょう。ものをあまり詰めすぎると庫内に冷気がいきわたりにくくなるため、なかなか冷えません。ものは容量の５０％程度にしておくことで、冷気が効率よく庫内にいきわたり、短時間で庫内が冷えるため、電力消費量を抑えることができます。
・炊飯器の保温機能の利用はやめましょう。余ったご飯は小分けにし、必要なときにレンジで温めななおすことで、長時間保温をする必要がなくなるため、電力消費量を抑えることができます。
【０１３９】
図１６は、第４の実施形態における処理の流れを示すフローチャート図である。
図１６によれば、Ｓｔａｒｔ後、コンテンツ作成装置（３５１）では以下が実行される。
【０１４０】
はじめに、視聴者用コンテンツ作成部（３５１−４）は、アドバイス記憶装置から一つ又は複数の節電アドバイスを取得し（ステップＳ４１）、取得された節電アドバイスを含んだ視聴者用コンテンツを作成する（ステップＳ４２）。
【０１４１】
次に、通信部（３５１−１）は、コンテンツ視聴装置（３４１）に対して作成された視聴者用コンテンツを送信する。
以上が、コンテンツ作成装置（３５１）で実行される。
【０１４２】
コンテンツ視聴装置（３４１）の通信部（３４１−１）は、コンテンツ作成装置（３５１）から送信された視聴者用コンテンツを受信可能で、コンテンツ視聴装置（３４１）の通信部（３４１−１）が、コンテンツ作成装置（３５１）から送信された視聴者用コンテンツを受信した場合、コンテンツ視聴装置（３４１）では以下が実行される。
【０１４３】
コンテンツ視聴装置（３４１）を利用する視聴者に対して受信された視聴者用コンテンツを視聴させる。
以上が、コンテンツ視聴装置（３４１）で実行される。
【０１４４】
第４の実施形態を利用することによって、以下の効果を得ることが可能となる。
第１の実施形態から第３の実施形態まででは、宅内電力消費量と、デザイン提供事業者毎に異なるコンテンツのデザインの一覧と、を含んだ視聴者用コンテンツをコンテンツ視聴装置（３４１）に対して送信するものとしている。
【０１４５】
一方、宅内電力消費量を削減する方法もコンテンツ視聴装置（３４１）に対して送信した方が、コンテンツ視聴装置（３４１）を利用する視聴者が宅内電力消費量を削減し易くなると考えられる。
【０１４６】
第４の実施形態では、コンテンツ視聴装置（３４１）を利用する視聴者に対して宅内電力消費量の削減方法を教授するため、コンテンツ視聴装置（３４１）を利用する視聴者が宅内電力消費量を削減し易くなる。
【０１４７】
（第５の実施形態）
第５の実施形態について以下に説明する。第５の実施形態は、第１の実施形態から第３の実施形態までのいずれか一つの実施形態で説明された広告代理システムに新たな機能を追加したものである。以下、追加した機能について詳しく説明する。
【０１４８】
図８Ｃは、コンテンツ作成装置（３５１）の一構成例を示す図である。
図８Ｃによれば、コンテンツ作成装置（３５１）は、通信部（３５１−１）と電力消費量特定部（３５１−２）と視聴者用コンテンツ作成部（３５１−４）とデザイン記憶装置（３５１−６）とアドバイス記憶装置（３５１−７）とを有している。
【０１４９】
以下では、第１の実施形態を例に説明する。
コンテンツ作成装置（３５１）は、目標電力消費量と、宅内電力消費量を削減するためのアドバイスである節電アドバイスと、を関係付けて蓄積することができるアドバイス記憶装置（３５１−７）を備えている。また、節電アドバイスとしては例えば、以下の３つのようなもの等が挙げられる。
・利用していない間はコンセントを抜きましょう。コンセントを抜くことで待機電力がなくなるため、電力消費量を抑えることができます。
・冷蔵庫にものをつめすぎるのはやめましょう。ものをあまり詰めすぎると庫内に冷気がいきわたりにくくなるため、なかなか冷えません。ものは容量の５０％程度にしておくことで、冷気が効率よく庫内にいきわたり、短時間で庫内が冷えるため、電力消費量を抑えることができます。
・炊飯器の保温機能の利用はやめましょう。余ったご飯は小分けにし、必要なときにレンジで温めななおすことで、長時間保温をする必要がなくなるため、電力消費量を抑えることができます。
【０１５０】
図１７は、第５の実施形態における処理の流れを示すフローチャート図である。
図１７によれば、Ｓｔａｒｔ後、コンテンツ作成装置（３５１）では以下が実行される。
【０１５１】
はじめに、視聴者用コンテンツ作成部（３５１−４）は、宅内電力消費量が超える目標電力消費量の内、最大の目標電力消費量を取得し（ステップＳ５１）、取得された目標電力消費量と関係付けてアドバイス蓄積装置に蓄積されている節電アドバイスの内、一つ又は複数の節電アドバイスを取得し（ステップＳ５２）、取得された節電アドバイスを含んだ視聴者用コンテンツを作成する（ステップＳ５３）。
【０１５２】
次に、通信部（３５１−１）は、コンテンツ視聴装置（３４１）に対して作成された視聴者用コンテンツを送信する。
以上が、コンテンツ作成装置（３５１）で実行される。
【０１５３】
コンテンツ視聴装置（３４１）の通信部（３４１−１）は、コンテンツ作成装置（３５１）から送信された視聴者用コンテンツを受信可能で、コンテンツ視聴装置（３４１）の通信部（３４１−１）が、コンテンツ作成装置（３５１）から送信された視聴者用コンテンツを受信した場合、コンテンツ視聴装置（３４１）では以下が実行される。
【０１５４】
コンテンツ視聴装置（３４１）を利用する視聴者に対して受信された視聴者用コンテンツを視聴させる。
以上が、コンテンツ視聴装置（３４１）で実行される。
【０１５５】
第５の実施形態を利用することによって、以下の効果を得ることが可能となる。
第１の実施形態から第３の実施形態まででは、宅内電力消費量と、デザイン提供事業者毎に異なるコンテンツのデザインの一覧と、を含んだ視聴者用コンテンツをコンテンツ視聴装置（３４１）に対して送信するものとしている。
【０１５６】
一方、宅内電力消費量を削減する方法もコンテンツ視聴装置（３４１）に対して送信した方が、コンテンツ視聴装置（３４１）を利用する視聴者が宅内電力消費量を削減し易くなると考えられる。
【０１５７】
第４の実施形態では、アドバイス記憶装置から一つ又は複数の節電アドバイスを取得するものとしているが、節電アドバイスに実施の難易度がある場合、難易度の高い節電アドバイスを初期の段階で提供するのはコンテンツ視聴装置（３４１）を利用する視聴者に対して酷である。
【０１５８】
第５の実施形態では、目標電力消費量と節電アドバイスとを関係付け、宅内電力消費量が少ない場合、難易度の高い節電アドバイスを提供し、宅内電力消費量が多い場合、難易度の低い節電アドバイスを提供するものとしている。このようにすることによって、コンテンツ視聴装置（３４１）を利用する視聴者は無理なく宅内電力消費量の削減をおこなうことが可能となる。
【０１５９】
（第６の実施形態）
以上の第１の実施形態から第５の実施形態までで説明した、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、コンテンツ作成装置（３５１）と、は複数の機能を実現するためのプログラムをコンピュータ読み取り可能な記録媒体に記録して、この記録媒体に記録されたプログラムをコンピュータシステムに読み込ませ、実行することによって、各機能部の処理を実現してもよい。なお、ここでいう「コンピュータシステム」とは、ＯＳ（Ｏｐｅｒａｉｎｇ  Ｓｙｓｔｅｍ）や周辺機器等のハードウェアを含むものとする。
【０１６０】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【０１６１】
また、前記プログラムは、前述した機能の一部を実現するためのものであってもよく、さらに前述した機能をコンピュータシステムにすでに記録されているプログラムとの組み合わせで実現できるものであってもよい。
【０１６２】
また、上記プログラムを格納した「記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１６３】
（第７の実施形態）
以上の第１の実施形態から第５の実施形態までで説明した、電力源（３０１）と、分電装置（３１１）と、電力消費量取得装置（３２１）と、負荷装置（３３１）と負荷装置（３３２）と負荷装置（３３３）から負荷装置（３３ｎ）までと、コンテンツ視聴装置（３４１）と、コンテンツ作成装置（３５１）と、の各機能部は、これらの機能を実現する回路デバイス、ＩＣ（Ｉｎｔｅｇｒａｔｅｄ  Ｃｉｒｃｕｉｔ）などの集積回路、などのハードウェアを用いて構成することができる。また、これら機能部はそれぞれ個別に構成してもよいし、複数の機能部を単一のハードウェアによって構成することもできる。
【０１６４】
以上の第１の実施形態から第５の実施形態までで説明した、添付図面に図示されている構成などについては、これらに限定されるものではなく、本発明の効果を発揮する範囲内で適宜変更することが可能である。その他、本発明の目的の範囲を逸脱しない限りにおいて適宜変更して実施することが可能である。
【符号の説明】
【０１６５】
１０１〜１０ｎ：機器
１１１〜１１ｎ：宅内情報管理装置
１２１：地域情報管理装置
１３１〜１３ｎ：サービス提供装置
１４１〜１４ｎ；コンテンツ視聴装置
２０１〜２０ｎ：負荷装置
２１１：分電装置
２２１：宅内情報管理装置
２３１：コンテンツ視聴装置
３０１：電力源
３１１：分電装置
３１１−１：通信部
３２１：電力消費量取得装置
３２１−１：通信部
３３１〜３３ｎ：負荷装置
３４１：コンテンツ視聴装置
３４１−１：通信部
３５１；コンテンツ作成装置
３５１−１：通信部
３５１−２：宅内電力消費量特定部
３５１−４：視聴者用コンテンツ作成部
３５１−５：電力消費量記憶装置
３５１−６：デザイン記憶装置
３５１−７：アドバイス記憶装置
４０１〜４０ｎ：拠点
５０１；宅内電力消費量の表示部分
５０２：デザイン事業者毎に異なる視聴者用コンテンツのデザインの一覧
５０３：右ボタン
５０４：左ボタン
【図１】
2013206038.tif 000003
【図２】
2013206038.tif 000004
【図３】
2013206038.tif 000005
【図４】
2013206038.tif 000006
【図５】
2013206038.tif 000007
【図６】
2013206038.tif 000008
【図７】
2013206038.tif 000009
【図８Ａ】
2013206038.tif 000010
【図８Ｂ】
2013206038.tif 000011
【図８Ｃ】
2013206038.tif 000012
【図９】
2013206038.tif 000013
【図１０】
2013206038.tif 000014
【図１１】
2013206038.tif 000015
【図１２】
2013206038.tif 000016
【図１３】
2013206038.tif 000017
【図１４】
2013206038.tif 000018
【図１５】
2013206038.tif 000019
【図１６】
2013206038.tif 000020
【図１７】
2013206038.tif 000021